(57)【要約】【課題】水耕栽培キットに電気を使用せず培養床に供給する培養液の水位を一定に維持する水位維持式水耕栽培キットを提供する。【解決手段】水耕栽培容器にポールと取付け金具を設け、取付け金具にホルダーを装着し、固定ツマミで固定し、底に無数の穴のある培養容器に細かい砂利、または、水耕栽培に適した用土を入れて培養床を作り、そこに種を蒔き培養液槽の上に載せ、培養液を入れた貯水ボトルをホルダーにセットすると、培養液が流出し、培養液が設定された水位に達すると、自動的に培養液の流出が止まり、培養床に供給する培養液の水位を常に一定に保つ水位維持式水耕栽培キット。【選択図】図１
2011244800.tif 000002
【特許請求の範囲】
【請求項１】
水耕栽培容器にポールと取付け金具を設け、この取付け金具にホルダーを装着し、固定ツマミで固定し、培養液槽に培養容器を載せ、貯水ボトルに培養液を入れ、ホルダーにをセットし、貯水ボトルから培養液が培養液槽に補給され、設定された水位に達すると補給が止まり、水位が下がると再び培養液を補給し、培養液槽の水位を自動的に一定に保つことを特徴とする水位維持式水耕栽培キット。
【発明の詳細な説明】
【技術分野】
【０００１】  本発明は、葉物野菜やハーブなどを家庭のベランダ等で、種から水耕栽培で育てる用品で、培養液の水位を自動的に一定に保つ水位維持式水耕栽培キットに関するものである。
【背景技術】
【０００２】  従来、家庭のベランダ等で使用している主な水耕栽培キットには以下の方式のものがある。
（イ）底に細かい目のある容器（培養容器）に細かい砂利、または水耕栽培に適した用土を入れて培養床を作り、そこに種を蒔き、水槽（培養液槽）の上に載せる。
培養床の下部が培養液に浸かる程度培養液槽に培養液を入れる。
培養床の下部が常に培養液に浸かっている様に培養液を補給しながら、野菜等を育てる方式の水耕栽培キット。
（ロ）上記（イ）と同様に培養床を作り、そこに種を蒔き、培養液槽の上に載せる。
培養床の下部が培養液に浸かる深さを、一定に保つ為水中ポンプを使用して培養液を循環させ水位を自動的に調整する方式の水耕栽培キット。
（ハ）上記の（イ）（ロ）は培養床の底部に直接培養液を供給する方式だが、噴射装置を使って培養液を培養床の底部に吹き付ける方式の水耕栽培キット。
（ニ）エアーポンプで気泡を発生させ、その気泡を培養床の底部に当てて培養液を培養床に供給する水耕栽培キット。
【発明の概要】
【発明が解決しようとする課題】
【０００３】  従来の家庭用水耕栽培キットには次のような問題点があった。
上記（イ）の水耕栽培キットは、野菜が培養液の吸収び培養液の蒸発により培養液が減り、培養床に供給される液面が下がり、油断すると水切れで野菜が枯れる恐れがある。
また、培養床に供給される培養液の水位が高く、培養床の表面に達すると、培養床に蒔いた種が腐り発芽しないか、または発芽て間もない幼苗は、腐ってしまう。
培養液の水位が一見して確認する事が難しく野菜が順調に生育する培養液の水位を常に一定に保つことが難しい問題点がある。
前記（ロ）（ハ）（ニ）の水耕栽培キットは、水中ポンプ、培養液噴射装置、エアーポンプを使用するため、キットの価格が高くなる。
また、水中ポンプや培養液噴射装置、エアーポンプの電源が必要になり、電源が取れない場所では使用出来ない問題点がある。
本発明は、以上の問題点を解決しようとするものである。
【課題を解決するための手段】
【０００４】  培養液を入れる培養液槽（１）に、ポール（２）と取付け金具（４）を設ける。
取付け金具（４）にホルダー（３）を装着し、固定ツマミ（５）で固定する。
この培養液槽（１）に、底に無数の穴のある培養容器（７）を載せ、貯水ボトル（６）をホルダー（３）にセットする。
培養液槽（１）の液面が、貯水ボトル（６）の培養液出口面より下がると貯水ボトル（６）内に空気が入り、培養液が流出し、培養液が培養液出口面に達すると空気が入らなくなるため、培養液の流出が止まり、培養液槽（１）の液面が自動的に一定に保たれることを特徴とする水位維持式水耕栽培キットである。
【発明の効果】
【０００５】本発明の水位維持式水耕栽培キットは、次の効果がある。
（イ）構造がシンプルのため安く作ることが出来る。
（ロ）電源を必要としないので、何処でも使える。
（ハ）貯水ボトルを透明にすることにより、入っている培養液の量が一目で分かるため培養液の管理が容易である。
（ニ）培養液を貯水ボトルに貯めているので、水やりの回数が少なくて済む。
（ホ）挿し木、挿し芽、ハイドロカルチャー用としても使用出来き用途が広い。
【発明を実施するための形態】
【０００６】以下、本発明の実施の形態を説明する。
（イ）培養液槽（１）にポール（２）と取付け金具（４）を設ける。
（ロ）取付け金具（４）にホルダー（３）を装着する。
（ハ）ホルダー（３）に貯水ボトル（６）をセットする。
（ニ）培養容器（７）を培養液槽（１）に載せる。
本発明は、以上の構成よりなっている。
本発明を使用する時は図５に示す様に、培養容器（７）に細かい砂利または水耕栽培に適した用土を入れて、培養床を作り、そこに野菜等の種を蒔き、培養液槽（１）の上に載せる。
次に培養液を入れた貯水ボトル（６）をホルダー（３）にセットすると、図７に示す様に貯水ボトル（６）内のガラス球（１０）がポール（２）に押し上げられ、貯水ボトル（６）内に空気が入って貯水ボトル（６）内の培養液が流れ出る。
培養液槽（１）の水位が貯水ボトル（６）のキャップ（８）の培養液出口面に達すると、貯水ボトル（６）内に空気が入らなくなるため、培養液の流出は止まる。
培養液槽（１）の水位が下がると、培養液とキャツプ（８）の培養液出口面との間に隙間が出来、空気が貯水ボトル（６）内に入り貯水ボトル（６）内の培養液が流れ出す。
こうして貯水ボトル（６）に培養液が入っている間は、培養液槽（１）の水位は、一定に保たれる。
培養液槽（１）の水位は、培養容器（７）の底面が培養液に浸る程度にホルダー（３）を調整し、固定ツマミ（５）で固定する。
野菜が成長して根が培養床底面より、はみ出し根が十分に伸びられるよう、培養液槽（１）と培養容器（７）の底面との間に隙間を設ける。
以上は、図２に示す様にポール（２）と取付け金具（４）を培養液槽（１）に取り付けることを説明してきたが、図３に示す様にポール（２）と取付け金具（４）を培養容器（７）に取り付けた方法もある。
また、図４に示す様に、水が漏れない様にした培養容器（１１）にポール（２）と取付け金具（４）を取付け、底網（１２）を敷いて培養床をつくる方法もある。
貯水ボトル（６）に培養液を入れ、ホルダー（３）にセットする時に貯水ボトル（６）を逆さにしても培養液が流れ出ない様にキャップ（８）にパッキン（９）を装着し、貯水ボトル（６）内にガラス球（１０）を入れる。
こうすることにより、貯水ボトル（６）を逆さにすると、ガラス球（１０）がパッキン（９）に密着して栓をし、貯水ボトル（６）内の培養液が流れ出ない。
ガラス球（１０）は金属その他の材質でも良い。
また、貯水ポトル（６）は、夏場の暑い時期に直射日光が当たると、培養液が高温になるので、図９に示す様に発砲ポリエチレン等の断熱材にアルミ蒸着フィルムを張り付けた、カバーを被せ温度の上昇を抑える。
冬の寒い時期には、図１０に示す様にカバーを黒いビニーに換え培養液の温度を上げて、野菜等の生育を良くする。
カバーには、培養液が見える窓を設ける。
図８は、貯水ボトル（６）を更に安定に保持するため、押さえ部分を二段にしたものである。
【図面の簡単な説明】
【０００７】
【図１】本発明の斜視図
【図２】本発明の実施例１の分解斜視図
【図３】本発明の実施例２の分解斜視図
【図４】本発明の実施例３の分解斜視図
【図５】培養床の斜視図
【図６】貯水ボトルの断面図
【図７】貯水ボトルがホルダーにセット状態の説明図
【図８】二段式ホルダーの説明図
【図９】夏用貯水ボトルカバーの説明図
【図１０】冬用貯水ボトルカバーの説明図
【符号の説明】
【０００８】  １  培養液槽
２  ポール
３  ホルダー
４  取付け金具
５  固定ツマミ
６  貯水ボトル
７  培養容器
８  キャップ
９  パッキン
１０  ガラス球
１１  底穴無培養容器
１２  底網
１３  培養土
１４  二段式ホルダー
【図１】
2011244800.tif 000003
【図２】
2011244800.tif 000004
【図３】
2011244800.tif 000005
【図４】
2011244800.tif 000006
【図５】
2011244800.tif 000007
【図６】
2011244800.tif 000008
【図７】
2011244800.tif 000009
【図８】
2011244800.tif 000010
【図９】
2011244800.tif 000011
【図１０】
2011244800.tif 000012